(57)【要約】【課題】遊技媒体貸機の売上データと計数機データを比較チェックする比較データ検出手段と自己データ検出手段を設けることによって、遊技媒体貸機や計数機に仕掛けられた不正行為を検出・通知するようにした遊技店売上管理システムを提供するものである。【解決手段】本発明は、遊技媒体貸機の売上データと、獲得遊技媒体を計数する計数機データと、売上データと計数機データとを比較する比較データ検出手段とを有する遊技店データ管理装置と、前記遊技店側に設置され、前記遊技店データを第三者機関へ送信するデータ外部出力手段とを備えたものである。【選択図】  図１
2005198998.tif 000002
【特許請求の範囲】
【請求項１】
遊技機および該遊技機が使用する遊技媒体の貸し出しを行なう遊技媒体貸機を複数設置して営業する遊技店の売上・収益を管理するための売上管理システムであって、
前記売上管理システムは、
前記遊技媒体貸機の売上データと獲得遊技媒体を計数する計数機データとを比較する比較データ検出手段と
前記データの処理結果を第三者機関へ送信するデータ外部出力手段と
を備えた遊技店データ管理装置と、
前記遊技店側から発信された前記データの処理結果を管理する第三者管理装置とより成る
ことを特徴とする、遊技店売上管理システム
【請求項２】
請求項１項に記載の遊技店売上管理システムにおいて、
前記遊技店データ管理装置は、自己検出データと、
該自己検出データを基準値に対して比較する自己データ検出手段を備えた
ことを特徴とする、遊技店売上管理システム
【請求項３】
請求項１乃至請求項２項の何れかに記載の遊技店売上管理システムにおいて、
前記遊技店データ管理装置は、自己データ検出手段から検出された異常データをエラー情報として発信する異常通知手段とを備えた
ことを特徴とする遊技店売上管理システム
【請求項４】
請求項１乃至請求項３項の何れかに記載の遊技店売上管理システムにおいて、
前記遊技店データ管理装置は、売上データ並びに計数機データおよび異常データを一定期間記憶する記憶装置を備えた
ことを特徴とする遊技店売上管理システム
【発明の詳細な説明】
【技術分野】
【０００１】  本発明は、遊技機および該遊技機が使用する遊技媒体の貸し出しを行なう遊技媒体貸機を複数設置して営業する遊技店の収益を管理するための遊技店売上管理システムに関する。
【背景技術】
【０００２】  従来、遊技媒体をゲーム媒体として使用する遊技業界では、健全なレジャー産業化を目指して、売上、収益の透明化を図るため、それらのデータを第三者機関に送信し一括管理するシステムが採用されるようになってきている。【０００３】  このようなシステムを利用する場合、第三者機関に送信されるデータが正規のデータ（不正の無い）も不正が行なわれたデータも特に加工されない生データであることが前提条件であることは言うまでも無い。したがって、遊技店の管理システムに記憶されている各種データが、遊技場および遊技場以外の他者によって容易に改竄されることがないようにチェックできる機能を備えた売上管理システムを構築する必要がある。【０００４】  例えば、特許文献１である特開２００２−０５８８５４に示されているような遊技店収益管理装置では、売上金額管理手段２１０と、入玉・出玉情報管理手段２２０を各々個別に第三者機関に送信し、それらの情報を比較してデータの不具合を判別している。【０００５】  しかしながら、遊技店の売上は、遊技媒体貸機の売上と計数機による支払（景品交換）によって決定されるもので、前述の技術では、この計数機のデータが管理されていない。このため、遊技媒体貸機あるいは計数機に不正行為がなされても、その不正をチェックすることができなく、ひいては正確な売上管理をおこなうことができないという問題点があった。また、特許文献２の特開平６−２８５２４５には、貸機から出力される売上データと計数機から出力される景品データの比較によって売上を管理する方法が開示されているが、やはり、遊技媒体貸機あるいは計数機への不正行為をチャックするシステムは開示されていない。【０００６】  この出願の発明に関連する先行技術文献としては次のものがある。
【特許文献１】特開２００２−０５８８５４号公報
【特許文献２】特開平６−２８５２４５
【発明の開示】
【発明が解決しようとする課題】
【０００７】  本発明は、上記の問題を解決するためになされたものであり、その目的は、遊技媒体貸機の売上データと計数機データを比較チェックする比較データ検出手段と自己データ検出手段を設けることによって、遊技媒体貸機や計数機に仕掛けられた不正行為を検出・通知するようにした遊技店売上管理システムを提供するものである。
【課題を解決するための手段】
【０００８】上記課題を解決するため、本発明においては、  遊技機および該遊技機が使用する遊技媒体の貸し出しを行なう遊技媒体貸機を複数設置して営業する遊技店の売上・収益を管理するための遊技店売上管理システムであって、前記遊技媒体貸機の売上データと、獲得遊技媒体を計数する計数機データと、前期売上データと計数機データとを比較する比較データ検出手段とを有する遊技店データ管理装置と、前記遊技店側に設置され、前記遊技店データを第三者機関へ送信するデータ外部出力手段とを備えたものである。【０００９】  このことにより、遊技店に設置してある遊技店データ管理装置には、正規のデータ、不正が行なわれたデータのいずれのデータも生データとして正確に入力され、そのデータと同じデータがそのまま第三者機関へ送信され、第三者機関で管理することによって遊技店をより健全に運営する。【００１０】    次の発明は、前記遊技店データ管理装置は、自己検出データと、該自己検出データを基準値に対して比較する自己データ検出手段を備えたものである。【００１１】  このことにより、計数機自体に何らかの不正行為が為されたときには、固有のデータとの間の相違するデータが検出され、不正行為の有無を遊技店側と第三者機関側で確認することができる。【００１２】更に、次の発明は、前記遊技店データ管理装置は、比較データ検出手段と自己データ検出手段から検出された異常データをエラー情報として発信する異常通知手段とを備えたものである。【００１３】  このことにより、不正行為は無論のこと、遊技媒体貸機、計数機あるいはシステムを繋ぐ配線等に異常が発生した場合、その異常を検出し、遊技店側に通知することによって、不正行為の有無、システムの故障等に直ちに検出することができ、データ以外の不正行為に対処することができる。【００１４】  更に、次の発明は、前記遊技店データ管理装置は、売上データ並びに計数機データおよび異常データを一定期間記憶する記憶装置を備えたものである。【００１５】  このことにより、前記遊技店データ管理装置に故障が発生しても一定期間データを記憶・保存することができ、そのデータを後日、第三者機関へ送信することにより、遊技店をより健全に運営することができる。
【発明の効果】
【００１６】    以上のように、本発明によれば、遊技機および該遊技機が使用する遊技媒体の貸し出しを行なう遊技媒体貸機を複数設置して営業する遊技店の売上・収益を管理するための遊技店売上管理システムであって、前記遊技媒体貸機の売上データと、獲得遊技媒体を計数する計数機データと、前期売上データと計数機データとを比較する比較データ検出手段とを有する遊技店データ管理装置とを備えることにより、遊技媒体貸機や計数機に仕掛けられた不正行為を検出・通知するようにした遊技店売上管理システムを提供するものである。
【発明を実施するための最良の形態】
【００１７】  以下、本発明を実施するための最良の形態を、図面に基づいて説明する。図１は、本発明の遊技店売上管理システムを示したシステム図、図２は、本発明の遊技店売上管理システムの流れを示したフローチャートである。【００１８】  遊技店売上管理システム１は、図１に示すように、異なる遊技機（パチンコ１１、ＣＲ対応パチンコ２１、スロットマシン３１）と遊技媒体貸機（パチンコ玉貸機１２、カードリーダ（（ＣＲ））２２、メダル貸機３２）の種類別に構築されたパチンコ島１０と、ＣＲ対応パチンコ島２０と、スロットマシン島３０並びにパチンコ島１０と、ＣＲ対応パチンコ島２０と、スロットマシン島３０とに各々配置された玉計数機１３，２３，３３と、それらからの出力データを管理する遊技店データ管理装置４０と、遊技店データ管理装置４０の出力を管理する第三者機関５０とを備えている。尚、本実施例では、島の数を三列としたが、この数に限定されることは無い。また、同様に遊技機、遊技媒体貸機の数も遊技店の事情により任意に設定することができる。【００１９】    パチンコ島１０は、島管理ユニット１４と中継ユニット１５を備え、この島管理ユニット１４に玉計数機１３を接続して、この玉計数機のデータを入力するとともに、パチンコ１１とパチンコ玉貸機１２を一組としたユニットの四ユニット分の売上データを中継ユニット１５に入力し、この中継ユニット１５のデータを一括して島管理ユニット１４に入力している。この島管理ユニット１４と中継ユニット１５に入力された玉計数機データと売上データは、一定期間各々に記憶・保存される。【００２０】  ＣＲ対応パチンコ島２０は、島管理ユニット２４と中継ユニット２５を備え、この島管理ユニット２４に玉計数機２３を接続して、この玉計数機のデータを入力するとともに、パチンコ２１とパチンコ玉貸機２２を一組としたユニットの四ユニット分の売上データを中継ユニット２５に入力し、この中継ユニット２５のデータを一括して島管理ユニット２４に入力している。この島管理ユニット２４と中継ユニット２５に入力された玉計数機データと売上データは、一定期間各々に記憶・保存される。【００２１】  スロットマシン島３０は、島管理ユニット３４と中継ユニット３５を備え、この島管理ユニット３４にメダル計数機３３を接続して、この玉計数機のデータを入力するとともに、スロットマシン３１とメダル貸機３２を一組としたユニットの四ユニット分の売上データを中継ユニット３５に入力し、この中継ユニット３５のデータを一括して島管理ユニット３４に入力している。この島管理ユニット３４と中継ユニット３５に入力されたメダル計数機データと売上データは、一定期間各々に記憶・保存される。【００２２】  これらのパチンコ島１０とＣＲ対応パチンコ島２０とスロットマシン島３０からのデータは、遊技店データ管理装置４０に入力された後、変更されること無く第３者機関５０に送信される。【００２３】  次に、中継ユニット（１５，２５，３５）並びに島管理ユニット（１４，２４，３４）と遊技店データ管理装置４０および第三者機関５０に入力、出力されるデータについて説明する。【００２４】  売上データは、個別売上データとそれらを合計した島売上データと島売上データを合計した店売上データがある。個別売上データは、遊技媒体貸機（パチンコ玉貸機１２、カードリーダ（ＣＲ）２２、メダル貸機３２）に投入したプレーヤーの現金またはカードによる金額である。そして、これらの遊技媒体貸機（パチンコ玉貸機１２、カードリーダ（ＣＲ）２２、メダル貸機３２）には、磁石使用、不正電波、異常傾斜等を検知する公知の検知手段が設けられていて、異常データが発生した場合には、後述するエラー情報として特定の場所に信号を発信する。【００２５】  支払データ（プレーヤーの獲得遊技媒体の数量。以下、計数機データと呼ぶ、）は、島支払データと店支払データがあり、島支払データは、各島に配置されている玉計数機１３，２３やメダル計数機３３でカウントされたプレーヤーの獲得遊技媒体の数量を金額に換算された金額データであり、（一般には、プレーヤーの獲得遊技媒体の数量に一定率を掛けて算出している。）店支払データはその合計である。【００２６】  異常データは、エラー情報として発信される。本発明では、この異常データを重要度の高い異常と重要度の低い異常とに大別している。重要度の高い異常と重要度としては、
１）  閉店中計数
２）  磁石使用入力
３）  不正電波入力
４）  異常傾斜入力等不正行為に直結する可能性の高いものであり、
重要度が低い異常には、島管理ユニット１４，２４，３４のハード異常、メカトラブル等不正行為に直結する可能性が低いものが挙げられる。【００２７】  次に、上記の各種データの比較手段と異常データの検出方法について説明する。この検出方法としては、
１）  比較データ検出手段
２）  自己データ検出手段が用いられ、
その結果で異常が検出されたとき、その異常データがエラー情報として発信される。【００２８】  比較データ検出手段は、本発明では、比較される数値が変数の場合に用いられる。一つは、個別売上データの検出に使用される。この個別売上データは、遊技媒体貸機（パチンコ玉貸機１２、カードリーダ（（ＣＲ））２２、メダル貸機３２）に投入したプレーヤーの現金またはカードによる金額がそれに当たる。【００２９】  もう一つとしては、島売上データの検出に用いられている。島売上データは、個別売上データの合計と各島に配置されている玉計数機１３，２３やメダル計数機３３でカウントされたプレーヤーの獲得遊技媒体の数量を金額に換算された金額データである島支払データとの差であり、この差を比較チェックして整合性が取れない状態を検出し、異常データとしてエラー情報を発信する。例えば、計数機に不正行為をして、個別売上データで記録した払出遊技媒体数に比較して計数機のカウントが異常に多い場合が検出される。【００３０】  自己データ検出手段は、比較される数値の一方が定数の場合に用いられる。本発明では、島管理ユニット１４，２４，３４に予め記憶した計数機（玉計数機１３，２３やメダル計数機３３）の稼動時間帯（開店〜閉店までの時間）、計数時間（一定数量をカウントする時間）と実際の時間を比較するもので、例えば、閉店後稼動していた場合には異常データとしてエラー情報が発信される。【００３１】  上述した比較データ検出手段と自己データ検出手段は、島管理ユニット１４，２４，３４の島ごとに遊技店データ管理装置４０のサーバ４２内に設定され、中継ユニット１５，２５，３５から送信されてきたデータ並びに計数機（玉計数機１３，２３やメダル計数機３３）データと突合せ、その結果をサーバ４２記憶させるとともに、遊技店データ管理装置４０の、データ外部出力手段４１、例えばインターネット回線、電話回線等任意の手段で第三者管理機関５０に送信しそこで一括管理される。このサーバ４２に入力されたデータは修正・変更できないように保護されている。【００３２】  異常通知手段は、比較データ検出手段と自己データ検出手段から検出された異常データのうち、機械的に発生した重要度の高い異常データは、直ちに管理責任者に発信され、対処される。また、売上データの異常等集計結果の異常は、そのまま遊技店データ管理装置４０、第三者管理機関５０に記憶・保存され、後日対処される。また、重要度の低い異常データは、次の開店時にまでに管理責任者に通知される。【００３３】  次に、図２のフローチャートを用いて、本発明の遊技店売上管理システムの流れを説明する。
ｓｔｅｐ１：中継ユニット１５．２５．３５で磁石使用入力、不正電波入力、異常傾斜入力、メカトラブル（ハード的異常と称する）等の異常をチェックする。その結果、異常が検出された場合、重要度の応じて、直ちに、または後日管理者の連絡するとともにデータを一時保管した後に島管理ユニット１４，２４，３４に入力する。また、異常がない場合は、そのままデータを一時保管した後に島管理ユニット１４，２４，３４に入力する。尚、売上データのチェックはされない。
ｓｔｅｐ２：島管理ユニット１４、２４、３４でハード的異常をチェックする。その結果、異常が検出された場合、重要度の応じて、直ちに、または後日管理者の連絡するとともにデータを一時保管した後に遊技店データ管理装置４０に入力する。また、異常がない場合は、そのままデータを一時保管した後に遊技店データ管理装置４０に入力する。尚、計数データのチェックはされない。
ｓｔｅｐ３：遊技店データ管理装置４０において、売上データ、閉店中計数等（以下ソフト的異常）をチェックする。先ず、比較データ検出手段である売上データと計数機データを比較して売上の異常のチェックを行なう。次に、自己データ検出手段である計数機の当初の設定値（例えば、稼動間）と実際の計数機の稼働時間を比較して異常をチェックする。（例えば、閉店後に計数機が稼動していたか、否か等）、尚、この順序は逆でも構わない。その結果は、ディスプレー等に表示され、遊技店の管理者に知らしめるが、データの変更はできない。そして、遊技店データ管理装置４０に入力された売上データ、計数機データ、異常データ等はサーバ４２に一定期間記憶・保存される。平行して同じデータが第三者機関５０にデータ外部出力手段４１（電話回線、インターネット等）を介して送信され、第三者機関５０にて管理される。
【図面の簡単な説明】
【００３４】
【図１】本発明の遊技店売上管理システムを示したシステム図である。
【図２】本発明の遊技店売上管理システムの流れを示したフローチャートである。
【符号の説明】
【００３５】１…遊技店売上管理システム
１０…パチンコ島
１１…パチンコ
１２…パチンコ玉貸機
１３、２３…玉計数機
１４、２４，３４…島管理ユニット
１５、２５、３５…中継ユニット
２０…ＣＲ対応パチンコ島
２１…ＣＲ対応パチンコ
２２…カードリーダ
３０…スロットマシン島
３１…スロットマシン
３２…メダル貸機
４０…遊技店データ管理装置
４１…データ外部出力手段
４２…サーバ
５０…第三者機関
【図１】
2005198998.tif 000003
【図２】
2005198998.tif 000004